(57)【要約】【課題】印刷物における複数のページの検査効率を向上させることが可能な画像表示装置、画像表示処理プログラム、及び画像表示方法を提供する。【解決手段】取り込まれたページ画像に表示されるノンブルを含む部分を囲むノンブル枠を当該ページ画像に対して設定し、該ノンブル枠により囲まれる部分のノンブル画像をページ画像から切り抜いて抽出し、抽出された複数のノンブル画像をディスプレイに一覧表示させるように構成した。【選択図】図３
2014017714.tif 000002
【特許請求の範囲】
【請求項１】
印刷物の複数のページがそれぞれスキャン又は撮影されることにより得られる複数のページ画像を取り込む取込手段と、
前記取込手段により取り込まれたページ画像に表示されるページ番号を含む部分を囲む枠を当該ページ画像に対して設定する設定手段と、
前記設定手段により設定された枠により囲まれる前記部分の画像を、前記枠が設定されたページ画像ごとに切抜画像として切り抜く切抜手段と、
前記切抜手段により切り抜かれた複数の切抜画像を一覧表示させる表示制御手段と、
を備えることを特徴とする画像表示装置。
【請求項２】
前記取込手段により取り込まれた複数のページ画像のうち、当該複数のページ画像より少ない数のページ画像に表示されるページ番号を含む部分を囲む枠の指定を、ユーザから操作手段を介して受け付ける受付手段を備え、
前記設定手段は、前記ユーザにより指定された前記枠を当該枠が指定されたページ画像に対して設定し、且つ、前記ユーザにより指定された前記枠の位置及びサイズに対応する枠を前記枠が指定されたページ画像以外のページ画像に対して設定することを特徴とする請求項１に記載の画像表示装置。
【請求項３】
前記取込手段は、ページ順にスキャン又は撮影された複数のページ画像を取り込み、
前記表示制御手段は、前記切抜手段により切り抜かれた複数の切抜画像をスキャン又は撮影順に一覧表示させることを特徴とする請求項１又は２に記載の画像表示装置。
【請求項４】
前記受付手段は、前記ユーザにより指定された前記枠の位置とサイズの少なくとも何れか一方の修正を受け付け、
前記設定手段は、前記枠の位置とサイズの少なくとも何れか一方が修正された前記枠を当該枠が指定されたページ画像に対して設定することを特徴とする請求項１乃至３の何れか一項に記載の画像表示装置。
【請求項５】
コンピュータを、
印刷物の複数のページがそれぞれスキャン又は撮影されることにより得られる複数のページ画像を取り込む取込手段、
前記取込手段により取り込まれたページ画像に表示されるページ番号を含む部分を囲む枠を当該ページ画像に対して設定する設定手段、
前記設定手段により設定された枠により囲まれる前記部分の画像を、前記枠が設定されたページ画像ごとに切抜画像として切り抜く切抜手段、及び、
前記切抜手段により切り抜かれた複数の切抜画像を一覧表示させる表示制御手段として機能させることを特徴とする画像表示処理プログラム。
【請求項６】
コンピュータにより実行される画像表示方法であって、
印刷物の複数のページがそれぞれスキャン又は撮影されることにより得られる複数のページ画像を取り込む取込ステップと、
前記取込ステップにより取り込まれたページ画像に表示されるページ番号を含む部分を囲む枠を当該ページ画像に対して設定する設定ステップと、
前記設定ステップにより設定された枠により囲まれる前記部分の画像を、前記枠が設定されたページ画像ごとに切抜画像として切り抜く切抜ステップと、
前記切抜ステップにより切り抜かれた複数の切抜画像を一覧表示させる表示制御ステップと、
を含むことを特徴とする画像表示方法。
【発明の詳細な説明】
【技術分野】
【０００１】
本発明は、印刷物の複数のページがそれぞれスキャン又は撮影されることにより得られる複数の画像を検査する際に用いられる装置又は方法等の技術分野に関する。
【背景技術】
【０００２】
近年、過去に作成された書籍、雑誌、その他の紙資料等の印刷物を、イメージスキャナでスキャン、又はデジタルカメラで撮影してデジタル化した後、様々な用途に利用、加工することが行われている。例えば、特許文献１には、イメージリーダから見開きの書籍内容を読み込んで、読み込まれた両ページの内容をタッチスクリーン上に表示し、ページ単位のタッチ指示により自由な取込みを可能とする電子化システムが開示されている。このような電子化システムを用いれば、書籍の全てのページが過不足なく、また正しい順番で撮影されたかを、撮影画像を１つずつ順番に表示して目視で確認することができる。
【先行技術文献】
【特許文献】
【０００３】
【特許文献１】特開平９−２４５０４４号公報
【発明の概要】
【発明が解決しようとする課題】
【０００４】
しかしながら、従来の方法では、例えば書籍１冊分のページを進めていく動作にそれなりの時間がかかり、また一覧性に乏しいことから見落としが発生しやすい状況にあった。また、例えば片ページ又は見開きの両ページの内容を撮影した画像を、縮小して一覧表示することも考えられるが、例えば似たようなレイアウトのページが続いていた場合には、縮小された画像では区別がつかずに見落としてしまったり、あるいは都度拡大表示に切り替えて確認する必要があり、検査効率低下の原因となっていた。
【０００５】
そこで、本発明は、上記点等に鑑みてなされたものであり、印刷物における複数のページの検査効率を向上させることが可能な画像表示装置、画像表示処理プログラム、及び画像表示方法を提供することを目的とする。
【課題を解決するための手段】
【０００６】
上記課題を解決するために、請求項１に記載の発明は、印刷物の複数のページがそれぞれスキャン又は撮影されることにより得られる複数のページ画像を取り込む取込手段と、前記取込手段により取り込まれたページ画像に表示されるページ番号を含む部分を囲む枠を当該ページ画像に対して設定する設定手段と、前記設定手段により設定された枠により囲まれる前記部分の画像を、前記枠が設定されたページ画像ごとに切抜画像として切り抜く切抜手段と、前記切抜手段により切り抜かれた複数の切抜画像を一覧表示させる表示制御手段と、を備えることを特徴とする。
【０００７】
請求項２に記載の発明は、請求項１に記載の画像表示装置において、前記取込手段により取り込まれた複数のページ画像のうち、当該複数のページ画像より少ない数のページ画像に表示されるページ番号を含む部分を囲む枠の指定を、ユーザから操作手段を介して受け付ける受付手段を備え、前記設定手段は、前記ユーザにより指定された前記枠を当該枠が指定されたページ画像に対して設定し、且つ、前記ユーザにより指定された前記枠の位置及びサイズに対応する枠を前記枠が指定されたページ画像以外のページ画像に対して設定することを特徴とする。
【０００８】
請求項３に記載の発明は、請求項１又は２に記載の画像表示装置において、前記取込手段は、ページ順にスキャン又は撮影された複数のページ画像を取り込み、前記表示制御手段は、前記切抜手段により切り抜かれた複数の切抜画像をスキャン又は撮影順に一覧表示させることを特徴とする。
【０００９】
請求項４に記載の画像表示処理プログラムの発明は、請求項１乃至３の何れか一項に記載の画像表示装置において、前記受付手段は、前記ユーザにより指定された前記枠の位置とサイズの少なくとも何れか一方の修正を受け付け、前記設定手段は、前記枠の位置とサイズの少なくとも何れか一方が修正された前記枠を当該枠が指定されたページ画像に対して設定することを特徴とする。
【００１０】
請求項５に記載の発明は、コンピュータを、印刷物の複数のページがそれぞれスキャン又は撮影されることにより得られる複数のページ画像を取り込む取込手段、前記取込手段により取り込まれたページ画像に表示されるページ番号を含む部分を囲む枠を当該ページ画像に対して設定する設定手段、前記設定手段により設定された枠により囲まれる前記部分の画像を、前記枠が設定されたページ画像ごとに切抜画像として切り抜く切抜手段、及び、前記切抜手段により切り抜かれた複数の切抜画像を一覧表示させる表示制御手段として機能させることを特徴とする。
【００１１】
請求項６に記載の発明は、コンピュータにより実行される画像表示方法であって、印刷物の複数のページがそれぞれスキャン又は撮影されることにより得られる複数のページ画像を取り込む取込ステップと、前記取込ステップにより取り込まれたページ画像に表示されるページ番号を含む部分を囲む枠を当該ページ画像に対して設定する設定ステップと、前記設定ステップにより設定された枠により囲まれる前記部分の画像を、前記枠が設定されたページ画像ごとに切抜画像として切り抜く切抜ステップと、前記切抜ステップにより切り抜かれた複数の切抜画像を一覧表示させる表示制御ステップと、を含むことを特徴とする。
【発明の効果】
【００１２】
本発明によれば、取り込まれたページ画像に表示されるページ番号を含む部分を囲む枠を当該ページ画像に対して設定し、該枠により囲まれる部分の切抜画像をページ画像から切り抜いて一覧表示させるように構成したので、ページ画像のダブり、抜け、順番違いを効率良く、かつ短時間で発見し、あるいはそれらが無いことを確認することができる。従って、印刷物における複数のページの検査効率を向上させることが可能となる。
【図面の簡単な説明】
【００１３】
【図１】本実施形態に係るノンブル検査システムの概要構成例を示す図である。
【図２】ノンブル検査装置２の  表示制御部２３の処理を示すフローチャートである。
【図３】切り抜き枠の指定画面の一例を示す図である。
【図４】ノンブル一覧画面の一例を示す図である。
【図５】印刷物の見開き２ページを、左右片ページずつ撮影することで取り込まれたページ画像を表示する切り抜き枠の指定画面の一例を示す図である。
【発明を実施するための形態】
【００１４】
以下、図面を参照して本発明の実施形態について詳細に説明する。なお、以下に説明する実施の形態は、本発明をノンブル検査システムに対して適用した場合の実施形態である。
【００１５】
先ず、図１等を参照して、本実施形態に係るノンブル検査システムの構成及び機能について説明する。図１は、本実施形態に係るノンブル検査システムの概要構成例を示す図である。図１に示すように、ノンブル検査システムは、デジタルカメラ１と、ノンブル検査装置２とを含んで構成されている。デジタルカメラ１とノンブル検査装置２とは、有線又は無線により通信可能になっている。
【００１６】
デジタルカメラ１は、書籍、雑誌、その他の紙資料等の印刷物の複数のページをそれぞれ撮影して得た複数の画像（以下、ページ画像という）のデータを有線又は無線通信でノンブル検査装置２へ出力する。なお、デジタルカメラ１の代わりにイメージスキャナが備えられてもよい。この場合、イメージスキャナにより、印刷物の複数のページがそれぞれスキャンされることで得られた複数のページ画像のデータがノンブル検査装置２へ出力される。
【００１７】
ノンブル検査装置２は、操作手段としての操作部２０、記憶部２１、通信部２２、及び表示制御部２３等を含んで構成される。なお、ノンブル検査装置２は、本発明の画像表示装置の一例である。ノンブル検査装置２には、汎用のパーソナルコンピュータを適用できる。
【００１８】
操作部２０は、例えばマウス及びキーボード等を備えており、ノンブル検査装置２のユーザである検査作業者からの指示を受け付け、当該指示に応じた信号を表示制御部２３へ出力する。記憶部２１は、例えばハードディスクドライブ等を備えており、オペレーティングシステム（ＯＳ）、及びノンブル検査処理プログラム（本発明の画像表示処理プログラムを含む）を記憶する。記憶部２１には、デジタルカメラ１から取り込こまれたページ画像のデータが所定のファイル形式（例えば、ＪＰＥＧファイル等の画像ファイル）で記憶される。通信部２２は、デジタルカメラ１との間で有線又は無線通信を行うための通信ポートを備える。なお、通信部２２は、外付けＵＳＢハードディスク等の外付記録デバイスと電気的に接続するインターフェースであってもよい。この外付記録デバイスには、デジタルカメラ１により撮影されたページ画像のデータが所定のファイル形式で記録される。この場合、外付記録デバイスからインターフェースを介してページ画像のデータがノンブル検査装置２に取り込まれるようにしてもよい。
【００１９】
表示制御部２３は、各種演算処理を行うＣＰＵ（コンピュータの一例）、及びデジタルカメラ１から取り込んだページ画像のデータ等を一時的に格納するメモリ（例えば作業用のＲＡＭ）等を備え、オペレーティングシステム、及びノンブル検査処理プログラムを実行することにより、本発明の取込手段、設定手段、切抜手段、表示制御手段、及び受付手段等として機能させる。具体的には、表示制御部２３は、印刷物の複数のページがそれぞれ撮影されることにより得られる複数のページ画像を、デジタルカメラ１から通信部２２を介して取り込み、取り込まれたページ画像に表示されるページ番号（以下、「ノンブル」という）を含む部分を囲む枠（以下、「ノンブル枠」という）を当該ページ画像に対して設定する。例えば、表示制御部２３は、検査作業者からのノンブル枠の指定を操作部２０を介して受け付け、当該指定されたノンブル枠を当該枠が指定されたページ画像に対して設定する。そして、表示制御部２３は、設定されたノンブル枠により囲まれる部分の画像（ノンブル部分の画像）を、当該枠が設定されたページ画像ごとに切抜画像（以下、「ノンブル画像」という）として切り抜き、切り抜かれた複数のノンブル画像をディスプレイ（図示せず）に一覧表示させる。
【００２０】
本発明では、書籍等の印刷物には特定の位置にノンブルが印刷されていることに着目し、撮影されたページ画像の中のノンブルが表示されている部分付近の画像を切り出して、ノンブルの数字が読める程度の大きさで一覧表示するようになっている。これにより、検査作業者は、数字の並び順を目視確認することで、効率良くページ画像のダブり、抜け、順番違い等を、見落とさずに発見することができる。
【００２１】
次に、図２等を参照して、本実施形態に係るノンブル検査装置２の動作例について説明する。図２は、ノンブル検査装置２の  表示制御部２３の処理を示すフローチャートである。
【００２２】
図２に示す処理は、例えばノンブル検査処理プログラムの起動により開始される。図２に示す処理が開始されると、表示制御部２３は、検査作業者からの操作部２０を介した指示に応じて１冊分のページ画像をデジタルカメラ１から通信部２２を介して取り込み、それらのデータを記憶部２１に記憶する。こうして、１冊分のページ画像それぞれの画像ファイルが、例えば検査作業者により指定されたフォルダに格納される。なお、ページ画像は、ページ順に取り込まれ、ページ順のシリアル番号が含まれように画像ファイル名が生成される。
【００２３】
次いで、表示制御部２３は、切り抜き枠の指定画面を表示させる（ステップＳ１）。この切り抜き枠の指定画面には、例えば画像ファイル名に含まれるシリアル番号が最も小さい画像ファイルに係るページ画像が表示される。表示されたページ画像は、検査作業者からの操作部２０を介したページ切り換え指示に応じて切り換え表示される。図３（Ａ）は、切り抜き枠の指定画面の一例を示す図である。図３（Ａ）に示す切り抜き枠の指定画面は、書籍の見開き２ページ（左側ページと右側ページ）を１画像として撮影した場合の例である。図３（Ａ）に示す切り抜き枠の指定画面のサムネイル表示エリア５２には、書誌フォルダ指定部５１で指定されたフォルダに格納されている画像ファイルの一覧（ページ画像及び画像ファイル名の一覧）が表示されている。また、サムネイル表示エリア５２には、１冊分の全画像ファイル（この例では、全画像ファイル数（全コマ数）は、２０４個）の中の６つの画像ファイルに係るページ画像及び画像ファイル名が表示されている。なお、サムネイル表示エリア５２に表示しきれない画像ファイルに係るページ画像及び画像ファイル名は、検査作業者からの操作部２０を介したスクロール指示に応じて表示される。そして、これらの６つの画像ファイルのうち、画像ファイル名「00000008.jpg」の画像ファイルが選択されることで、そのページ画像がページ画像表示エリア５３に拡大されて表示されている。ページ画像表示エリア５３に表示されたページ画像上で、検査作業者は操作部２０を操作して、ノンブル枠の指定をすることができる。
【００２４】
検査作業者から操作部２０を介してページ切り換え指示があった場合（ステップＳ２：ＹＥＳ）、表示制御部２３は、ページ画像表示エリア５３に表示されているページ画像を切り換えて表示させる（ステップＳ３）。ページ切り換え指示は、例えば、サムネイル表示エリア５２に表示されている、他の画像ファイルに係るページ画像又は画像ファイル名が、検査作業者により操作部２０を介して指定されることでなされる。また、ページ切り換え指示は、例えば、ページ画像戻るボタン５３ａ、またはページ画像進むボタン５３ｂが、検査作業者により操作部２０を介して指定されることでなされる。
【００２５】
そして、検査作業者から操作部２０を介してノンブル枠の指定指示があった場合（ステップＳ４：ＹＥＳ）、つまり、検査作業者からのノンブル枠の指定を表示制御部２３が受け付けた場合、表示制御部２３は、ページ画像に表示されるノンブルを含む部分を囲むノンブル枠を当該ページ画像に対して設定する（ステップＳ５）。例えば、図３（Ａ）に示すページ画像表示エリア５３の表示状態において、検査作業者が、操作部２０が備えるマウスを操作して新規ボタン５４を指定することにより図３（Ｂ）に示すように表示可能となる枠５３１の位置及びサイズを、マウスのポインタを移動させつつ指定（マウスのクリック及びドラッグによる）することができる。ノンブル枠の設定により、例えば、当該ページ画像に対応する画像ファイル名と、ノンブル枠の位置及びサイズを確定するための座標（ページ画像における座標）情報とが対応付けられて記憶される。なお、図３（Ｂ）に示すように、ページ画像表示エリア５３に、見開き２ページからなるページ画像が表示される場合、左側ページのノンブル枠と右側ページのノンブル枠のそれぞれを検査作業者が指定してもよいし、左側ページと右側ページの何れか一方のノンブル枠のみを検査作業者が指定してもよい。左側ページと右側ページの何れか一方のノンブル枠のみを検査作業者が指定した場合、他方のノンブル枠を検査作業者が指定しなくとも後述するステップＳ７において自動設定される。
【００２６】
以上のように、検査作業者は、操作部２０を操作してページ画像を切り換えさせつつ、全ページ画像の中で必要な数のページ画像に対してノンブル枠の指定を繰り返し行って設定させる。ここで、必要な数のページ画像としては、初めの方のページ画像と、中間あたりのページ画像と、終わりの方のページ画像の３つ程度が一例として挙げられる。理想的には、検査作業者が全ページ画像を通じて一箇所のノンブルの部分にノンブル枠を指定すれば、ノンブル枠を指定されないページ画像に対するノンブル枠は、後述するステップＳ７において自動設定される。しかし、見開きページを撮影する際の左側ページと右側ページとの境界付近の盛り上がり状況は、ページの初めの方と、中間と、終わりの方とでは変わってくる。その結果、複数のページ画像間におけるノンブルの位置がずれることで、自動設定されたノンブル枠からノンブルがはみ出す場合がある。そこで、例えば、初めの方のページ画像と、中間あたりのページ画像と、終わりの方のページ画像に対して検査作業者がノンブル枠の指定を行うとよい。
【００２７】
そして、例えば図３（Ｂ）に示す決定ボタン５６が指定されることにより検査作業者から操作部２０を介してノンブル枠の決定指示があった場合（ステップＳ６：ＹＥＳ）、表示制御部２３は、既に設定されているノンブル枠の座標情報を用いて、ノンブル枠が設定されていないページ画像に対してノンブル枠を設定する（ステップＳ７）。例えば、図３（Ｂ）に示すように、ページ画像表示エリア５３に、見開き２ページからなるページ画像が表示される場合、例えば左側ページのノンブル枠が設定されると、当該左側ページのノンブル枠の座標情報を基に、右側ページのノンブル枠（左側ページのノンブル枠と同一サイズ）の座標位置（右側ページおいて、左側ページのノンブル枠の対称位置）が計算され、右側ページのノンブル枠（例えば、破線５３２）が設定される。また、右側ページと左側ページの双方共にノンブル枠が設定されていないページ画像に対しては、例えば当該ページ画像の前（例えば、画像ファイル名に含まれるシリアル番号が１つ小さい）、或いは当該ページ画像の後（例えば、画像ファイル名に含まれるシリアル番号が１つ大きい）に対して設定されたノンブル枠の座標情報を基に、当該ノンブル枠と同じ座標位置にノンブル枠が設定される。つまり、検査作業者により指定されたノンブル枠の位置及びサイズに対応する枠が、上記ノンブル枠が指定されたページ画像以外のページ画像に対して設定される。
【００２８】
また、検査作業者から操作部２０を介して例えば図３（Ｂ）に示す修正ボタン５５が指定されることによりノンブル枠の修正指示があった場合（ステップＳ８：ＹＥＳ）、つまり、ユーザにより既に指定されたノンブル枠の位置とサイズの少なくとも何れか一方の修正を表示制御部２３が受け付けた場合、表示制御部２３は、当該ノンブル枠の位置とサイズの少なくとも何れか一方が修正されたノンブル枠を、当該ページ画像に対して再設定する（ステップＳ９）。例えば、検査作業者は、操作部２０を操作してページ画像を切り換えさせつつ、複数のページ画像について、表示されたノンブルの部分がノンブル枠内に収まっているかを確認し、ノンブル枠からはみ出していた場合、操作部２０を操作して図３（Ｂ）に示す修正ボタン５５を指定することで修正可能となるノンブル枠５３１の位置やサイズを、マウスのポインタを移動させることによりノンブルの部分が枠内に収まるように修正（変更）する。
【００２９】
以上のように、検査作業者は、複数のページ画像に対して必要なだけ修正を行い、全てのページ画像についてノンブルの部分が収まるようなノンブル枠が設定されたと、ある程度の確信を持てた場合（検査作業者は、必ずしも全てのページ画像についてノンブル枠を確認する必要はない）、例えば、操作部２０を操作して図３（Ｂ）に示す抽出実行ボタン５７を指定する。これにより、ノンブル画像の抽出（切り抜き）開始指示があった場合（ステップＳ１０：ＹＥＳ）、表示制御部２３は、全てのページ画像に対してノンブル枠が設定されているか否かを判定する（ステップＳ１１）。そして、表示制御部２３は、全てのページ画像に対してノンブル枠が設定されていると判定した場合（ステップＳ１１：ＹＥＳ）、ノンブル画像の切り抜き処理を実行する（ステップＳ１２）。ノンブル画像の切り抜き処理では、表示制御部２３は、ノンブル枠が設定されたページ画像ごとに、当該設定されたノンブル枠により囲まれる部分の画像を、当該ノンブル枠の座標情報に基づきノンブル画像として切り抜くことで抽出する。こうして抽出されたノンブル画像のデータには、基となったページ画像の画像ファイル名に対応付けられて記憶される。一方、検査作業者は、ノンブル画像の抽出をやり直したい場合、操作部２０を操作して図３（Ｂ）に示す抽出キャンセルボタン５８を指定する。これにより、ノンブル画像の抽出キャンセル指示があった場合（ステップＳ１３：ＹＥＳ）、既にノンブル画像が抽出されていれば（ステップＳ１４：ＹＥＳ）、表示制御部２３は、抽出され記憶されているノンブル画像のデータを消去する（ステップＳ１５）。
【００３０】
そして、検査作業者から操作部２０を介して例えば図３（Ｂ）に示す一覧表示ボタン５９が指定されることによりノンブル画像の一覧表示指示があった場合（ステップＳ１６：ＹＥＳ）、表示制御部２３は、上記ステップＳ１２で抽出された複数のノンブル画像を一覧表示するノンブル一覧画面を表示させる（ステップＳ１７）。図４は、ノンブル一覧画面の一例を示す図である。このようなノンブル一覧画面は、例えば、切り抜き枠の指定画面とは別ウインドウで当該切り抜き枠の指定画面上に重ねて表示される。図４に示すノンブル一覧画面のノンブル画像表示エリア６１には、ページ画像から切り抜かれたノンブル画像が、当該ページ画像に対応する画像ファイル名に含まれるシリアル番号順（言い換えれば、撮影順）に並べて表示されている。なお、ページ数が多いと、ステップＳ１２の切り抜き処理にもそれなりの時間がかかるので、抽出実行ボタン５７が指定された後であれば、切り抜き処理の完了を待たずとも、一覧表示ボタン５９が指定されることによりノンブル一覧画面が表示されるようになっている。その場合、切り抜き処理自体は、画像ファイル名に含まれるシリアル番号順に行われていくので、ノンブル一覧画面には切り抜き処理が完了したページまでのノンブル画像が表示されることになる。そして、一旦、ノンブル一覧画面が表示された後でもバックグラウンドで切り抜き処理は続いているので、途中までしか表示されなかった場合に、少し時間をおいてから再度ノンブル画像を表示し直すために、更新ボタン６５が設けられている。なお、ＣＰＵの処理能力が高いような場合は、ノンブル一覧画面が表示された後、更新ボタン６５に依らず、バックグラウンドで継続している切り抜き処理によりノンブル画像が抽出されるごとに、当該抽出されたノンブル画像が順次表示されていくように構成してもよい。ノンブル画像表示エリア６１に表示しきれないノンブル画像は、検査作業者により、図４に示すページ送りボタン６２またはページ戻るボタン６３が指定されることにより表示される。このノンブル一覧画面上で、検査作業者は目視でノンブルの数字の並びを確認することで、ページ画像のダブり、抜け、順番違いを効率良く発見し、あるいはそれらが無いことを確認することができる。このとき、検査作業者は、ノンブルの数字部分が画面上で読める大きさとなるように、一度に表示するノンブル画像の数を調整することができる。例えば、検査作業者は操作部２０を操作して、図４に示す画像サイズ指定エリア６４における指定欄６４ａ，６４ｂで画像の横サイズと縦サイズを変更することで、変更された画像サイズに応じた数のノンブル画像が一覧表示される。そして、検査作業者は、ノンブル画像の確認において、ノンブルの一部が切れているノンブル画像（つまり、ノンブル枠からノンブルがはみ出していることによる）が見つかった場合、切り抜き枠の指定画面に戻って、ノンブル枠の位置や大きさを修正後、再度、ノンブル画像の切り抜き処理を実行させればよい。また、検査作業者が操作部２０を操作してノンブル画像表示エリア６１に表示された所望の画像ファイル名を指定（マウスで例えばダブルクリック）した場合、当該指定された画像ファイル名に対応するページ画像が別ウインドウで表示されるように構成してもよい。
【００３１】
以上説明したように、上記実施形態によれば、取り込まれたページ画像に表示されるノンブルを含む部分を囲むノンブル枠を当該ページ画像に対して設定し、該ノンブル枠により囲まれる部分のノンブル画像をページ画像から切り抜いて抽出し、抽出された複数のノンブル画像をディスプレイに一覧表示させるように構成したので、ページ画像のダブり、抜け、順番違いを効率良く、かつ短時間で発見し、あるいはそれらが無いことを確認することができる。従って、印刷物における複数のページの検査効率を向上させることが可能となる。
【００３２】
なお、上記実施形態において、見開きページを撮影する際の左側ページと右側ページとの境界付近の盛り上がり状況は、ページが進むにつれて徐々にずれていく傾向がある。このずれ量を算出することで、ノンブル枠を自動修正するように構成してもよい。例えば、シリアル番号が「２」に対応するページ画像（ページの初め）とシリアル番号が「５０」に対応するページ画像（例えばページの中間）に対しては検査作業者の指定によりノンブル枠が設定され、それらの間のページ画像、例えば右側ページのシリアル番号（偶数）が「４」〜「４８」のページ画像に対してはノンブル枠が自動設定されるとする。この場合、表示制御部２３は、シリアル番号が「２」に対応するページ画像に対するノンブル枠の座標情報と、シリアル番号が「５０」に対応するページ画像に対するノンブル枠の座標情報とに基づいてずれ量を算出する。次に、表示制御部２３は、算出したずれ量を、シリアル番号が「２」〜「５０」の間のページ画像の数（偶数ページの数）で除算することで、１ページ画像あたりのずれ量Ｄを算出する。そして、表示制御部２３は、算出した１ページ画像あたりのずれ量Ｄに基づいて、シリアル番号が「２」〜「５０」の間のシリアル番号が偶数のページ画像に対するノンブル枠の位置を修正する。例えば、Ｘ軸方向のずれ量であると仮定すると、シリアル番号「４」に対応するページ画像に対するノンブル枠のＸ座標にずれ量Ｄを加算し、シリアル番号「６」に対応するページ画像に対するノンブル枠のＸ座標にずれ量Ｄ×２を加算するというように、シリアル番号「５０」に対応するページ画像に近づくにつれてＤずつ増加するずれ量を加算していくことで修正する。なお、左側ページについても、右側ページと同様に修正される。このように構成すれば、より、検査作業者のノンブル枠の修正負担を低減することができ、その結果、複数のページの検査効率をより一層向上させることが可能となる。
【００３３】
また、上記実施形態においては、印刷物の見開きページを撮影することで得られたページ画像に対して１ページ画像あたり２つのノンブル枠を設定してノンブル画像を抽出するように構成したが、印刷物の見開き２ページを、左右片ページずつ撮影することで左側と右側のそれぞれのページ画像を取り込み、１ページ画像あたり１つのノンブル枠を設定してノンブル画像を抽出するように構成してもよい。図５は、印刷物の見開き２ページを、左右片ページずつ撮影することで取り込まれたページ画像を表示する切り抜き枠の指定画面の一例を示す図である。この場合、検査作業者は、奇数ページ目（図５（Ａ））と、偶数ページ目（図５（Ｂ））との各ページ画像でそれぞれ一箇所ずつノンブル枠を指定することになり、この場合も、上記図２に示す処理を適用できる。なお、印刷物として片面印刷の資料を撮影することで得られたページ画像の場合も、検査作業者は、１ページ画像で一箇所ノンブル枠を指定することになり、この場合も、上記図２に示す処理を適用できる。
【００３４】
また、上記実施形態において、印刷物に表示されたノンブルがＯＣＲにより読み取り可能である場合、表示制御部２３は、読み取られたノンブルに基づき、ページ画像のダブり、抜け、順番違いを判定するように構成してもよい。この場合、表示制御部２３は、ページ画像のダブり、抜け、順番違いがあると判定したとき、外部へ警報を出力する。これにより、検査作業者に対して、迅速にページ画像のダブり、抜け、順番違い等を通知することができる。
【００３５】
また、上記実施形態において、検査作業者が、全ページ画像の中で少なくとも一箇所にノンブル枠を指定するようにしたが、表示制御部２３が所定のページ画像におけるノンブルの位置を予め認識できる場合、検査作業者がノンブル枠を指定しなくても、上記図２に示す処理を適用できる。
【符号の説明】
【００３６】
１  デジタルカメラ
２  ノンブル検査装置
２０  操作部
２１  記憶部
２２  通信部
２３  表示制御部
【図１】
2014017714.tif 000003
【図２】
2014017714.tif 000004
【図３】
2014017714.tif 000005
【図４】
2014017714.tif 000006
【図５】
2014017714.tif 000007